(57)【要約】      （修正有）【課題】安価な単純構造で熱エネルギーロスが極めて僅少で、臭気放散公害がなく、且つ耐熱型の送風機、吸気ファン、排気ファンなどを皆無にしてメンテナンスフリーの長寿命で、地球環境にも優しい乾燥装置を提供する。【解決手段】乾燥室１００の前壁１０３に密閉・開放扉２００を設け、乾燥室１００内の中央部ゾーンの高さ方向に複数の被乾燥物収容部３００を設置してこの被乾燥物収容部３００の上下前後部に上部通気ゾーン２０１、下部通気ゾーン２０２、前部通気ゾーン２０３、後部通気ゾーン２０４の環状対流ゾーンを形成する。さらに、前記下部通気ゾーン２０２の後面側にヒータ４００を配置し、下部通気ゾーン２０２の前壁１０３側の底部に排気口５００を介して排気管８００を設け、前記排気管８００を冷却装置７００を介して大気放出管７０３とドレン抜管７０４に分岐接続し、下部通気ゾーン２０２と被乾燥物収容部３００との間に下部通気ゾーン２０２の対流空気を導く風導板６００を配置して乾燥装置を構成する。【選択図】図１
0003162193.tif 000002
【実用新案登録請求の範囲】
【請求項１】
乾燥室（１００）の前壁（１０３）に密閉・開放扉（２００）を設け、乾燥室１００）内の中央部ゾーン（２０５）の高さ方向に複数の被乾燥物収容部（３００）を設置してこの被乾燥物収容部（３００）の上下前後部に上部通気ゾーン（２０１），下部通気ゾーン（２０２），前部通気ゾーン（２０３），後部通気ゾーン（２０４）の環状対流ゾーンを形成し、
前記下部通気ゾーン（２０２）の後面側にヒータ（４００）を配置し、下部通気ゾーン（２０２）の前壁（１０３）側の底部に排気口（５００）を介して排気管（８００）を設け、前記排気管（８００を冷却装置（７００）を介して大気放出管（７０３）とドレン抜管（７０４）に分岐接続し
下部通気ゾーン（２０２）と被乾燥物収容部（３００）との間に下部通気ゾーン（２０２）の対流空気を導く風導板（６００）を配置したことを特徴とする乾燥装置。
【請求項２】
前記排気管（８００）に、乾燥室（１００）内の気圧が大気圧を超えると開放作動し大気圧未満になると閉止作動する逆止弁（９００）を設けたことを特徴とする請求項１に記載の乾燥装置。
【請求項３】
前記排気管（８００）に三方弁（４０３）を設け、三方弁（４０３）に乾燥室（１００）に連通する連通管（７０８）を接続し、前記三方弁（４０３）はヒータ（４００）の温度コントローラー４０１により室内設定温度の調節不感帯の上限値を超えるとヒータ（４００）のＯＦＦと共に冷却装置（７００）側から連通管（７０８）側に切り替え、前記室内設定温度の調節不感帯の下限値より低下すると冷却装置（７００）側に切り替えることを特徴とする請求項１に記載の乾燥装置。
【請求項４】
前記乾燥室（１００）の壁の表面又は内部に遠赤外線を放射する物質を配置（１００Ｃ）したことを特徴とする請求項１に記載の乾燥装置。
【考案の詳細な説明】
【技術分野】
【０００１】  本考案は、乾燥装置に関するものである。
【背景技術】
【０００２】  肉類、魚介類、青果物などの被乾燥物の乾燥装置は、最新のものとして、多数のファンによる強制熱風対流型の乾燥装置が特許第４３９４５５６号公報で紹介されている。【０００３】  この乾燥装置は、密閉乾燥室内に被乾燥物の収容室を設け、収容室の上部と側部周囲に乾燥用空気流路を形成した二重構造型にし、一定温度に加熱調節した高温空気を送風機により乾燥用空気流路から収容室内に強制送風すると共に吸気ファンにより収容室内湿空気を強制吸気排気し、その一部又は全部を排気ファンにより密閉乾燥室外に排出するものである。【０００４】  この乾燥装置は、上記のように二重構造で強制熱風排気による大きな熱エネルギーロスと臭気の大気放散公害を生じる複雑構造体である。且つ耐熱型の送風機、吸気ファン、排気ファンを必要とし、更に加熱調節・制御装置を付設する等大がかりな設備となる。このことは、製作費は高額化し、更に電気エネルギーの増加、熱故障などによるメンテナンスの煩雑化により設備寿命の短命化等を促し、そのため地球環境保全上も好ましくない結果をもたらす。また強制熱風対流型のため被乾燥物は急速な乾燥を強いられ内外不均一な乾燥結果を生じやすく、味、歯ごたえ、風味、色彩などに難点が残りその改善が強く要望されている。
【先行技術文献】
【特許文献】
【０００５】
【特許文献１】特許第４３９４５５６号公報例
【考案の概要】
【考案が解決しようとする課題】
【０００６】  本考案は、安価な単純構造で熱エネルギーロスが極めて僅少で、臭気放散公害がなく、且つ耐熱型の送風機、吸気ファン、排気ファンなどを皆無にしてメンテナンスフリーの長寿命化を可能にし、しかも被乾燥物の種々の微妙な熟成乾燥等を可能にし、また地球環境にも優しい乾燥装置を提供するものである。
【課題を解決するための手段】
【０００７】  本考案の乾燥装置は、上記課題を解決するものでありその特徴は次の（１）〜（２）のとおりである。
（１）、乾燥室（１００）の前壁（１０３）に密閉・開放扉（２００）を設け、乾燥室１００）内の中央部ゾーン（２０５）の高さ方向に複数の被乾燥物収容部（３００）を設置してこの被乾燥物収容部（３００）の上下前後部に上部通気ゾーン（２０１），下部通気ゾーン（２０２），前部通気ゾーン（２０３），後部通気ゾーン（２０４）の環状対流ゾーンを形成し、
前記下部通気ゾーン（２０２）の後面側にヒータ（４００）を配置し、下部通気ゾーン（２０２）の前壁（１０３）側の底部に排気口（５００）を介して排気管（８００）を設け、前記排気管（８００を冷却装置（７００）を介して大気放出管（７０３）とドレン抜管（７０４）に分岐接続し
下部通気ゾーン（２０２）と被乾燥物収容部（３００）との間に下部通気ゾーン（２０２）の対流空気を導く風導板（６００）を配置したことを特徴とする乾燥装置。
（２）、前記排気管（８００）に、乾燥室（１００）内の気圧が大気圧を超えると開放作動し大気圧未満になると閉止作動する逆止弁（）を設けたことを特徴とする前記（１）に記載の乾燥装置。
（３）、前記排気管（８００）に三方弁（４０３）を設け、三方弁（４０３）に乾燥室（１００）に連通する連通管（７０８）を接続し、前記三方弁（４０３）はヒータ（４００）の温度コントローラー４０１により室内設定温度の調節不感帯の上限値を超えるとヒータ（４００）のＯＦＦと共にを冷却装置（７００）側から連通管（７０８）側に切り替え、前記室内設定温度の調節不感帯の下限値より低下すると冷却装置（７００）側に切り替えることを特徴とする前記（１）に記載の乾燥装置
（４）、前記乾燥室（１００）の壁の表面又は内部に遠赤外線を放射する物質を配置（１００Ｃ）したことを特徴とする前記（１）に記載の乾燥装置。
【考案の効果】
【０００８】  本考案は、安価な単純構造で熱エネルギーロスが極めて僅少で、臭気放散公害がなく、且つ耐熱型の送風機、吸気ファン、排気ファンなどを皆無にしてメンテナンスフリーの長寿命化を可能にし、しかも被乾燥物を内外均一に乾燥して、種々の微妙な熟成乾燥等を可能にして味、歯ごたえ、風味、色彩等の品質を高位に安定させ、また地球環境にも優しい乾燥装置である。
【図面の簡単な説明】
【０００９】
【図１】本考案の実施例１を示す側断面説明図である。
【図２】本考案の実施例２を示す側断面説明図である。
【考案を実施するための形態】
【００１０】  本考案を実施するための形態を次に紹介する実施例により詳細に説明する。
【実施例１】
【００１１】  本実施例の乾燥装置の乾燥室１００は、保温材１００Ｈを内部に充填し、室内の内壁の表面又は内部には、加熱されると遠赤外線を放射する物資の粉末をコーティング１００Ｃした上下壁１０１，１０２と前後壁１０３，１０４と両側壁１０５，１０６で構成してある。
遠赤外線を放射する物資には、ヒーター４００からの熱線及び加熱昇温した空気により加熱され遠赤外線、マイナスイオン等を放射するものであり、天照石、石龍石、トルマリン石、黒鉛珪石、トルマリン石と黒鉛珪石を含む天然電気石等を粉末状にして塗布したもの、又は前記天然電気石に静電容量を大きくするＴｉＯ２、Ｆｅ２Ｏ３、ＭｎＯ２、Ａｌ２Ｏ３、ＣｕＯ２、ＣａＯ２等のマイナスイオン強化鉱物を入れた混合物、或いは焼成トルマリン石即ち天然電気石に静電容量を大きくするチタン酸バリウム、銅酸バリウム等のマイナスイオン強化鉱物を入れた人工セラミックス石（人工トルマリン石）とホウ酸ガラス球との混合焼成体等を用いる。
乾燥室１００の前壁１０３には、密閉・開放扉２００を設ける。密閉・開放扉２００にも前記保温材１００Ｈの配置及び前記遠赤外線放射物資をコーティング１００Ｃしてある。
前記乾燥室１００内の中央部ゾーン２０５の高さ方向に複数の被乾燥物収容部３００を設置する。
被乾燥物収容部３００の上下前後部の全幅方向に上部通気ゾーン２０１，下部通気ゾーン２０２，前部通気ゾーン２０３，後部通気ゾーン２０４の環状対流ゾーンを形成する。
前記下部通気ゾーン２０２の後面側の略全幅方向にヒータ４００を配置し、下部通気ゾーン２０２の前面側底部に排気口５００を設ける。ヒータ４００はサーモスタッド４０２と温度コントローラー４０１により室内温度を所定の設定温度に調節制御する。
下部通気ゾーン２０２と被乾燥物収容部３００との間の全幅方向に下部通気ゾーン２０２の対流空気を導く風導板６００を配置する。風導板６００は、ヒータ４００に向かう下部通気ゾーン２０２の空気が直接に被乾燥物収容部３００の下方に上昇リークする量を抑制し得んかｋ津する。
前記排気口５００には排気管８００を接続し、排気管８００は、冷却装置７００に接続する。冷却装置７００は、熱交換冷却水タンク７０１に内設の冷却分離管７０２に排気管８００を接続し、冷却分離管７０２は、大気放出管７０３とドレン抜管７０４に分岐する。
排気管８００は、三方弁（電磁弁）４０３を介して冷却装置７００に接続する一方、連通管７０８を接続し乾燥室１００に連通する。ヒータ４００の温度コントローラー４０１は、室内温度が所定の設定温度の調節不感帯の上限値を超えるとヒータ４００のＯＦＦと共に前記三方弁４０３を冷却装置７００側から連通管７０８側に切り替えて、室内温度が設定温度の調節不感帯の下限値になるまでは室内温度隆下による収縮（気圧低下）による大気放出管７０３からの低温湿気の外気誘引を防止すると共に室内上部の高温ガスを直接排気管８００から誘引して熱ロスを防止する。そして室内温度が前記設定温度の調節不感帯の下限値より低下すると再び冷却装置７００側に切り替えて、調節不感帯の上限値を超えるまで除湿と臭気除去のため冷却装置７００の冷却分離管７０２に排気するのである。
冷却装置７００は熱交換冷却水タンク７０１の上部に浮子式給水水位調節器のボールタップ７０５付の給水タンク７０６を連通接続し、熱交換冷却水タンク７０１の側部にタンク７０１内の冷却水を冷却するベルチェ７０７（冷風による熱交換冷却機）を備えてある。
大気放出管７０３からは分離管７０２で臭気液を液化分離された空気が大気放出され臭気公害は発生しない。
ドレン抜管７０４からは分離管７０２で液化分離した臭気液と水液が混合したドレンが抜き取られ回収タンク７０８に収容し、液体のまま或いは纏めて飼料や肥料などに適宜処理される。
前記被乾燥物収容部３００は、被乾燥物を入れた笊、籠３０１など或いは吊るしたり串刺した被乾燥物を収容する網棚、ポール棚３０２、片支持棚、吊り棚、ハンガー、フックなどの上昇通気可能な収容部にしてある。【００１２】  上記構成の乾燥装置は、前記ヒータ４００により空気を加熱するのみで対流起点の上昇気流を発生させて、ファン無しで後部通気ゾーン２０４，上部通気ゾーン２０１，前部通気ゾーン２０３，下部通気ゾーン２０２の環状対流ゾーンを形成する。
これで乾燥装置内の環状対流空気を所定の乾燥温度にしながら被乾燥物収容部３００に収容した被乾燥物と直接接触し加熱被乾するのである。
この被乾燥物は、高温の環状対流ゾーン気体と内壁表面のコーティング１００Ｃからの遠赤外線により内外均一に加熱される。そして被乾燥物の加熱昇温による蒸発作用により対流気体は水分と臭気などの蒸発気体を含み徐々に昇圧する。この昇圧により乾燥室１００内環状対流空気の最低温度部即ち下部通気ゾーン２０２の前壁１０３側の底部空気が自然に排気管６００から排出され、冷却装置７００に導入して冷却されて、含有する蒸発気体を液体化して分離し空気は大気放出管７０３から大気中に放出し、液体化した蒸発気体はドレン抜管７０４から排出して回収されそのまま肥料や飼料にするなど適宜な用途に供され臭気放散を防止することができる。
【実施例２】  実施例２は図２に示すように実施例１に示す排気管８００に逆止弁９００を設けた例であり、実施例１と同一構成部分は同一符号を付してその詳細説明は省略する。
排気管８００に設けた逆止弁９００は、乾燥室１００内の気圧がヒータ４００加熱による温度上昇に伴い大気圧を超えると開放作動して室内ガスを冷却装置７００側に排気して除湿と臭気除去を行なう。又、逆止弁９００は、乾燥室１００内の気圧がヒータ４００加熱停止による温度下降に伴い大気圧未満になると閉止作動して室内ガスの排出を中止すると共に冷却装置７００側からの低温湿気の外気誘引を阻止して熱ロスを防止するのである。
【産業上の利用可能性】
【００１３】  本考案は、上記の優れた効果を呈するため、肉類、魚介類、青果物などの被乾燥物の各種乾燥生産産業界に利用されその発展に多大なる貢献をするものである。
【符号の説明】
【００１４】１００：乾燥室
２００：密閉・開放扉
３００：被乾燥物収容部
２０１：上部通気ゾーン
２０２：前部通気ゾーン
２０４：後部通気ゾーン
４００：ヒータ
４０３：三方弁
５００：排気口
６００：風導板
７００：冷却装置
７０１：熱交換冷却水タンク
７０２  冷却分離管
７０３：大気放出管
７０４：ドレン抜管
８００：排気管
９００：逆止弁
【図１】
0003162193.tif 000003
【図２】
0003162193.tif 000004
【手続補正書】
【提出日】平成22年5月31日(2010.5.31)
【手続補正１】
【補正対象書類名】実用新案登録請求の範囲
【補正対象項目名】全文
【補正方法】変更
【補正の内容】
【実用新案登録請求の範囲】
【請求項１】
乾燥室（１００）の前壁（１０３）に密閉・開放扉（２００）を設け、乾燥室１００）内の中央部ゾーン（２０５）の高さ方向に複数の被乾燥物収容部（３００）を設置してこの被乾燥物収容部（３００）の上下前後部に上部通気ゾーン（２０１），下部通気ゾーン（２０２），前部通気ゾーン（２０３），後部通気ゾーン（２０４）の環状対流ゾーンを形成し、前記下部通気ゾーン（２０２）の後面側にヒータ（４００）を配置し、下部通気ゾーン（２０２）の前壁（１０３）側の底部に排気口（５００）を介して排気管（８００）を設け、前記排気管（８００）を冷却装置（７００）を介して大気放出管（７０３）とドレン抜管（７０４）に分岐接続し、下部通気ゾーン（２０２）と被乾燥物収容部（３００）との間に下部通気ゾーン（２０２）の対流空気を導く風導板（６００）を配置したことを特徴とする乾燥装置。
【請求項２】
前記排気管（８００）に、乾燥室（１００）内の気圧が大気圧を超えると開放作動し大気圧未満になると閉止作動する逆止弁（９００）を設けたことを特徴とする請求項１に記載の乾燥装置。
【請求項３】
前記排気管（８００）に三方弁（４０３）を設け、三方弁（４０３）に乾燥室（１００）に連通する連通管（７０８）を接続し、前記三方弁（４０３）はヒータ（４００）の温度コントローラー４０１により室内設定温度の調節不感帯の上限値を超えるとヒータ（４００）のＯＦＦと共に冷却装置（７００）側から連通管（７０８）側に切り替え、前記室内設定温度の調節不感帯の下限値より低下すると冷却装置（７００）側に切り替えることを特徴とする請求項１に記載の乾燥装置。
【請求項４】
前記乾燥室（１００）の壁の表面又は内部に遠赤外線を放射する物質を配置（１００Ｃ）したことを特徴とする請求項１に記載の乾燥装置。